(57)【特許請求の範囲】
【請求項１】
ホスト装置に接続され、互いに性能が異なる複数台のディスク装置を有するディスクアレイ装置であって、
計時手段と、
前記複数台のディスク装置にそれぞれ割り当てられた時間帯を定義する情報を記憶する時間帯記憶手段と、
前記計時手段が計時した時刻が、前記時間帯記憶手段が記憶する情報が定義するいずれかの時間帯の範囲になったか否かを判別する判別手段と、
前記判別手段がいずれかの時間帯になったと判別したときに、該時間帯に対応するディスク装置を稼働させ、稼働中であったディスク装置の記憶データを新たに稼働させたディスク装置に転送させ、転送終了後、前記稼働中であったディスク装置を停止させる制御手段と、
前記ホスト装置からの要求に従って、稼働中のディスク装置にアクセスするアクセス手段と、
を備えることを特徴とするディスクアレイ装置。
【請求項２】
前記複数のディスクアレイ装置は、第１のディスク装置と、該第１のディスク装置よりも処理性能が高く消費電力が大きい第２のディスク装置を含み、
前記時間帯とは、第１の時間帯と、前記第１の時間帯よりも処理負荷の大きい第２の時間帯と、を含み、
前記第１のディスク装置は前記第１の時間帯に、前記第２のディスク装置は前記第２の時間帯に対応付けられている、
ことを特徴とする請求項１に記載のディスクアレイ装置。
【請求項３】
特定の日時の時間帯に定義する情報を前記時間帯記憶手段に記憶する時間帯設定手段をさらに備える、ことを特徴とする請求項１または２に記載のディスクアレイ装置。
【請求項４】
複数台のディスク装置にそれぞれ割り当てられた時間帯を定義する情報を記憶する時間帯記憶ステップと、
時刻が、前記時間帯記憶ステップが記憶する情報が定義するいずれかの時間帯の範囲になったか否かを判別する判別ステップと、
前記判別ステップで、いずれかの時間帯になったと判別したときに、該時間帯に対応するディスク装置を稼働させ、稼働中であったディスク装置の記憶データを新たに稼働させたディスク装置に転送させ、転送終了後、前記稼働中であったディスク装置を停止させる制御ステップと、
を有することを特徴とするディスクアレイ装置の制御方法。
【請求項５】
コンピュータに、
計時機能と、
複数台のディスク装置にそれぞれ割り当てられた時間帯を定義する情報を記憶する時間帯記憶機能と、
前記計時機能が計時した時刻が、前記時間帯記憶機能が記憶するいずれかの時間帯の範囲になったか否かを判別する判別機能と、
前記判別機能がいずれかの時間帯になったと判別したときに、該時間帯に対応するディスク装置を稼働させ、稼働中であったディスク装置の記憶データを新たに稼働させたディスク装置に転送させ、転送終了後、前記稼働中であったディスク装置を停止させる制御機能と、
前記ホスト装置からの要求に従って、稼働中のディスク装置にアクセスするアクセス機能と、
を実現させるプログラム。
【発明の詳細な説明】
【技術分野】
【０００１】
本発明は、性能の異なる複数のディスク装置を有するディスクアレイ装置に関する。
【背景技術】
【０００２】
ディスクアレイ装置は、スーパーコンピュータやサーバ装置などのホスト装置に接続されている。そして、ディスクアレイ装置は、ホスト装置の指示に従って、ディスクアレイ装置内部の記憶装置へデータを記憶させ、またはホスト装置から要求されたデータを記憶装置から読み出してホスト装置に送信する。
【０００３】
一般的にディスクアレイ装置は、記憶装置の故障に対応するために、複数の記憶装置を内部に備え、例えば、ある記憶装置を主として稼動させ、バックアップデータをその他の記憶装置に記憶させる。
【０００４】
このように、複数の記憶装置を常に稼働させておくと、消費電力が増大してしまう。この問題を解決しうる制御方法が特許文献１に開示されている。
【特許文献１】特開２００７−１６４７３８号公報
【発明の開示】
【発明が解決しようとする課題】
【０００５】
特許文献１に開示されている方法は、画像データ等の容量の大きなデータを第一のハードディスク装置に記憶させ、システムデータなどの容量の小さなデータを第二のハードディスク装置に記憶させて効率化し、通常時は、両ハードディスクを、省エネルギーモードに設定する。そして、ディスク装置への書き込みまたは読み込み指示があると、第二のハードディスク装置が起動して、データの種別を判別し、画像データであればさらに第一のハードディスク装置を起動して、データを書き込みまたは読み出す。
【０００６】
この方法では、画像データを書き込みまたは読み込みする指示が連続した場合には、常に利用されない第二のハードディスク装置が稼働していることになり、消費電力の観点から効率的な動作制御とはいえない。
【０００７】
本発明は、上記問題に鑑みてなされたものであり、消費電力をさらに抑制することのできるディスクアレイ装置を提供する。
また、本発明は、処理効率を維持しつつ、消費電力を抑制することを目的とする。
【課題を解決するための手段】
【０００８】
上記目的を達成するため、本発明の第一の観点に係るディスクアレイ装置は、
ホスト装置に接続され、互いに性能が異なる複数台のディスク装置を有するディスクアレイ装置であって、
計時手段と、
前記複数台のディスク装置にそれぞれ割り当てられた時間帯を定義する情報を記憶する時間帯記憶手段と、
前記計時手段が計時した時刻が、前記時間帯記憶手段が記憶する情報が定義するいずれかの時間帯の範囲になったか否かを判別する判別手段と、
前記判別手段がいずれかの時間帯になったと判別したときに、該時間帯に対応するディスク装置を稼働させ、稼働中であったディスク装置の記憶データを新たに稼働させたディスク装置に転送させ、転送終了後、前記稼働中であったディスク装置を停止させる制御手段と、
前記ホスト装置からの要求に従って、稼働中のディスク装置にアクセスするアクセス手段と、
を備えることを特徴とする。
【０００９】
上記目的を達成するため、本発明の第二の観点に係るディスクアレイ装置の制御方法は、
複数台のディスク装置にそれぞれ割り当てられた時間帯を定義する情報を記憶する時間帯記憶ステップと、
時刻が、前記時間帯記憶ステップが記憶する情報が定義するいずれかの時間帯の範囲になったか否かを判別する判別ステップと、
前記判別ステップで、いずれかの時間帯になったと判別したときに、該時間帯に対応するディスク装置を稼働させ、稼働中であったディスク装置の記憶データを新たに稼働させたディスク装置に転送させ、転送終了後、前記稼働中であったディスク装置を停止させる制御ステップと、
を有することを特徴とする。
【００１０】
上記目的を達成するため、本発明の第三の観点に係るプログラムは、
コンピュータに、
計時機能と、
複数台のディスク装置にそれぞれ割り当てられた時間帯を定義する情報を記憶する時間帯記憶機能と、
前記計時機能が計時した時刻が、前記時間帯記憶機能が記憶するいずれかの時間帯の範囲になったか否かを判別する判別機能と、
前記判別機能がいずれかの時間帯になったと判別したときに、該時間帯に対応するディスク装置を稼働させ、稼働中であったディスク装置の記憶データを新たに稼働させたディスク装置に転送させ、転送終了後、前記稼働中であったディスク装置を停止させる制御機能と、
前記ホスト装置からの要求に従って、稼働中のディスク装置にアクセスするアクセス機能と、
を実現させる。
【発明の効果】
【００１１】
本発明によれば、ディスクアレイ装置の消費電力を従来よりも低減できる。
【発明を実施するための最良の形態】
【００１２】
発明を実施するための最良の形態について、図面を参照して詳細に説明する。
【００１３】
（第一の実施形態）
図１に示すように、本発明の第一の実施形態に係るディスクアレイ装置１０は、制御部１１と、判別部１２と、計時部１３と、時間帯情報記憶部１４と、アクセス制御部１５と、第一記憶装置２０と、第二記憶装置３０と、を備える。
【００１４】
第一記憶装置２０および第二記憶装置３０は、データを記憶することができるＨＤＤ（Hard Disc Drive）装置などである。第一記憶装置２０と、第二記憶装置３０と、は互いに性能が異なり、第一記憶装置２０は第二記憶装置３０よりも処理性能が高く消費電力が大きい
【００１５】
計時部１３は、現在時刻を計時して、「年」、「月」、「日」、「時」、「分」、「秒」をデータとして出力する。
【００１６】
時間帯情報記憶部１４は、第一記憶装置２０または第二記憶装置３０が稼働する時間帯を定義する情報を記憶する。とりわけ、時間帯情報記憶部１４に記憶される情報は、ディスクアレイ装置１０の負荷が１日の中で相対的に大きい時間帯を特定する情報である。すなわち、ディスクアレイ装置１０の負荷が大きい時間帯に、処理性能の高い第一記憶装置２０が稼働する時間帯を定義する情報が、時間帯情報記憶部１４に記憶される。
【００１７】
例えば、時間帯情報記憶部１４には、図２に示すように、第一記憶装置２０が稼働する時間帯Ａおよび第二記憶装置３０が稼働する時間帯Ｂが、それぞれ対応付けて記憶される。
【００１８】
判別部１２は、計時部１３が計時した時刻が、時間帯記憶部１４が記憶する情報で特定される時間帯のいずれかの範囲になったか否かを判別する。
【００１９】
アクセス制御部１５は、ホスト装置５０と、第一記憶装置２０と、第二記憶装置３０と、に接続されている。アクセス制御部１５は、ホスト装置５０からの書き込み指示を受信した制御部１１の指示に従って、ホスト装置５０から提供された書き込みデータを、第一記憶装置２０または第二記憶装置３０に書き込む。また、ホスト装置５０からの読み出し指示を受信した制御部１１の指示に従って、第一記憶装置２０または第二記憶装置３０からデータを読み出し、ホスト装置５０に送信する。
【００２０】
制御部１１は、判別部１２がいずれかの時間帯になったと判別したときに、時間帯記憶部１４に記憶されている情報で特定される時間帯に対応する第一または第二記憶装置を稼働させる。そして、制御部１１は、稼働中の記憶装置が記憶する記憶データを新たに稼働させた記憶装置に転送させ、転送終了後、前記稼働中の記憶装置を停止させる。
【００２１】
次に、上記構成を備えるディスクアレイ装置１０が、第一または第二記憶装置の稼働を切り替える動作について、図３を用いて説明する。
【００２２】
図３に示すディスク切替処理が開始すると、判別部１２は、計時部１３が計時する時刻が時間帯情報記憶部１４に記憶されている情報で特定されるいずれかの時間帯になっているか否かの判別をする（ステップＳ１０１）。そして、判別部１２は、時刻がいずれかの時間帯になったことを判別するまで、これを繰り返す。
【００２３】
判別部１２が、時刻が時間帯情報記憶部１４に記憶されている情報で特定されるいずれかの時間帯になったことを判別すると（ステップＳ１０１のＹｅｓ）、
制御部１１は、その時間帯に対応する記憶装置を稼働する（ステップＳ１０２）。
【００２４】
そして、制御部１１は、稼働中のディスク装置の記憶データを新たに稼働させた記憶装置に転送させる（ステップＳ１０３）。転送終了後、制御部１１は、データ移動元である稼働中の記憶装置を停止する（ステップＳ１０４）。
【００２５】
この記憶装置が停止させられた後、再びステップＳ１０１まで戻り、判別部１２による、時刻が新たな時間帯に切り替わるか否かの判別が繰り返される。
【００２６】
このようにして、第一記憶装置および第二記憶装置に割り当てられた時間に応じて各記憶装置が稼働する。そして、ホスト装置２０からの要求に従って、アクセス制御部１５は稼働している記憶装置にアクセスする。
【００２７】
次に、第一の実施形態を具体的に実施するための例として、第二の実施形態について、図面を参照しながら詳細に説明する。
【００２８】
（第二の実施形態）
図４に示すように、本発明の第一の実施形態に係るディスクアレイ装置１００は、アダプタ部１１０と、第一記憶装置１２０と、第二記憶装置１３０と、を有している。
【００２９】
アダプタ部１１０は、制御部１１１と、インターフェイス部１１２と、ＲＴＣ１１３と、ＲＡＭ１１４と、を有している。
【００３０】
制御部１１１は、ＣＰＵ（Central Processing Unit）、記憶部などから構成され、記憶部に記憶されているプログラムを実行することにより、このディスクアレイ装置１００の全体の動作を制御する。
【００３１】
インターフェイス部１１２は、ホスト装置２００と、第一記憶装置１２０と、第二記憶装置１３０と、に接続されている。インターフェイス部１１２は、ホスト装置２００からの書き込み指示を受信した制御部１１１の指示に従って、ホスト装置２００から提供された書き込みデータを、第一記憶装置１２０または第二記憶装置１３０に書き込む。また、ホスト装置２００からの読み出し指示を受信した制御部１１１の指示に従って、第一記憶装置１２０または第二記憶装置１３０からデータを読み出し、ホスト装置２００に送信する。
【００３２】
ＲＴＣ（Real Time Clock）１１３は、現在時刻を計時して、「年」、「月」、「日」、「時」、「分」、「秒」をデータとして出力する。
【００３３】
ＲＡＭ（Rondom Access Memory）１１４は、各種のデータ、例えば、図２に示す時間帯情報１１５を記憶する。
時間帯情報１１５は、ディスクアレイ装置１００の負荷が１日の中で相対的に大きい時間帯を特定する情報であり、具体的には、第一記憶装置１２０を稼働させる時間帯を示す情報である。時間帯情報１１５は、複数の時間帯を指定したり、特定の日時を特定するものでも良い。時間帯情報１１５で指定されている時間帯以外の時間帯には、第二記憶装置１３０を稼働する。例えば、図５に示すように、時間帯情報１１５として、１０：００−１７：００および１８：３０−１９：００という２つの時間帯を指定する情報が設定されている場合には、１０：００−１７：００と１８：３０−１９：００の２つの時間帯には、第一記憶装置１２０を稼働し（第二記憶装置１３０は停止）、それ以外の、１７：００−１８：３０と１９：００−１０：００には、第二記憶装置１３０（第一記憶装置１２０は停止）を稼働することを指定している。
時間帯情報１１５は、操作部１１６を介してユーザにより適宜設定される。
【００３４】
操作部１１６は、キーボード、マウス等を備え、ユーザの操作に従って、種々の情報を入力し、入力した情報を制御部１１１へ送信する。
【００３５】
第一記憶装置１２０および第二記憶装置１３０は、ＨＤＤ（Hard Disc Drive）装置からなり、各種のデータを記憶する。
【００３６】
第一記憶装置１２０は、データ処理性能（単位時間当たりのアクセス量）が相対的に高いが消費電力の大きいディスク装置、例えば、ＦＣ（Fibre Channel）記憶装置またはＳＡＳ（Serial Attached SCSI）装置などから構成される。第二記憶装置１３０は、データ処理能力が相対的に低いが消費電力の小さいディスク装置、例えば、ＳＡＴＡ（Serial ATA）記憶装置などから構成される。
【００３７】
ホスト装置２００は、例えば、スーパーコンピュータ、メインフレーム、サーバ装置、またはＰＣ（Personal Computer）等の情報処理装置から構成される。ホスト装置２００はディスクアレイ装置１００のアダプタ部１１０に接続されており、ディスクアレイ装置１００に対して、書込指示、書込対象データ、書込位置の先頭アドレスなどを指示し、また、読出指示、読出位置の先頭アドレス、データ量などを指示する。
【００３８】
次に、上記構成を備えるディスクアレイ装置１００の動作について説明する。
なお、理解を容易にするため、初期状態では、データは第一記憶装置１２０に記憶されているものとする。
【００３９】
ディスクアレイ装置１００の電源が投入されると、図６に示すディスク切替処理が開始する。
【００４０】
まず、制御部１１１は、第一記憶装置１２０と第二記憶装置１３０との電源を投入し、データを記憶している方の記憶装置を判別し、データを記憶していない方の記憶装置を停止させる（ステップＳ３０１）。
【００４１】
次に、制御部１１１は、ＲＴＣ１１３から現在の時刻情報を入手する（ステップＳ３０２）。
【００４２】
そして、制御部１１１は、ＲＡＭ１１４に記憶されている時間帯情報１１５を参照して、現在時刻が時間帯情報１１５で設定されている時間帯の範囲内であるか否かを判別する（ステップＳ３０３）。
【００４３】
現在時刻が時間帯情報１１５で設定されている時間帯の範囲内であれば（ステップＳ３０３のＹｅｓ）、現在時刻がこの時間帯の範囲外になるまで、制御部１１１は、ＲＴＣ１１３から現時時刻の取得（ステップＳ３０２）と時間帯の判別（ステップＳ３０３）とを繰り返す。
【００４４】
制御部１１１は、取得した現在時刻が、時間帯情報１１５に設定されている時間帯の範囲外になったことを判別すると（ステップＳ３０３のＮｏ）、第一記憶装置１２０に記憶されている全データを読み出して、第二記憶装置１３０にこれを記憶させる（ステップＳ３０４）。
【００４５】
そして、制御部１１１は第一記憶装置１２０を停止させる（ステップＳ３０５）。
【００４６】
次に、制御部１１１はＲＴＣ１１３から現在時刻を取得して（ステップＳ３０６）、この現在時刻が時間帯情報１１５に設定されている時間帯の範囲内であるか否かを判別する（ステップＳ３０７）。
【００４７】
現在時刻が時間帯情報１１５で設定されている時間帯の範囲外であれば（ステップＳ３０７のＮｏ）、現在時刻がこの時間帯の範囲内になるまで、制御部１１１はＲＴＣ１１３から現時時刻の取得（ステップＳ３０６）と時間帯の判別（ステップＳ３０７）とを繰り返す。
【００４８】
制御部１１１は、取得した現在時刻が、時間帯情報１１５に設定されている時間帯の範囲内になったことを判別すると（ステップＳ３０７のＹｅｓ）、第二記憶装置１３０に記憶されている全データを読み出して、第一記憶装置１２０にこれを記憶させる（ステップＳ３０８）。
【００４９】
そして、制御部１１１は第二記憶装置１３０を停止させ（ステップＳ３０９）、
再びステップＳ３０２の現在時刻を取得するステップに戻る。
【００５０】
以上説明したように、制御部１１１は、第一記憶装置１２０と第二記憶装置１３０のうち、時間帯情報１１５が規定する時間帯に対応するディスク装置を稼働させ、稼働中のディスク装置の記憶データを新たに稼働させたディスク装置に転送させ、転送終了後、前記稼働中のディスク装置を停止させる。
【００５１】
一方、制御部１１１は、ディスク切り替え処理と並行して、一般的なディスクアクセス処理を実行しており、稼働中フラグにより指示される稼働中の記憶装置１２０又は１３０にアクセスし、データを読み出してホスト装置２００に提供し、或いは、ホスト装置２００から供給されたデータを書き込む。
【００５２】
上記実施例のように、本発明は、ホスト装置２００からディスクアレイ装置１００へのアクセスが少ない時間帯においては、低性能だが消費電力の少ない第二記憶装置のみが稼働して、消費電力を抑える。アクセスが少ない時間帯は第二記憶装置へのアクセス自体が多くないので、トータルの時間帯でみればアクセス性能を維持することができる。
【００５３】
（第三の実施形態）
次に、ディスクアレイ装置内の記憶装置の数を増やして３つにした場合の第三の実施形態について説明する。
【００５４】
上記実施の形態では、１日を高負荷の時間帯と低負荷の時間帯に分割したが、負荷に応じて、１日を任意の数に分割可能である。
以下、１日を負荷が大中小の３つの時間帯に分割する例を実施の形態を説明する。
【００５５】
本実施の形態においては、図７に示すように、ディスク装置１００内のアダプタ部１１０のインターフェイス部（不図示）に、ホスト装置２００と、第一記憶装置１２０と、第二記憶装置１３０と、第三記憶装置１４０と、が接続されている。
【００５６】
３つの記憶装置のうち、第一記憶装置１２０は処理性能が最も高いが、消費電力を最も多く消費する。第三記憶装置１４０は、処理性能が最も低いが、消費電力は最も少ない。第二記憶装置１３０は、処理性能も消費電力も中位である。
【００５７】
時間帯情報１１５は、図８に示すように、負荷に応じた複数の時間帯を規定し、各時間帯で駆動すべき記憶装置を指定する。
【００５８】
図８に示す記憶装置の項目には、第一〜第三記憶装置に対応する設定時間帯に駆動させる記憶装置の種類が格納される。以下、第一記憶装置１２０を駆動させる時間帯を第一時間帯、第二記憶装置１３０を駆動させる時間帯を第二時間帯、第三記憶装置１３０を駆動させる時間帯を第三時間帯とする。
【００５９】
次に、ディスクアレイ装置１００が電源投入された後の動作について説明する。
【００６０】
ディスクアレイ装置１００の電源が投入されると、図９に示すディスク切替処理が開始する。なお、理解を容易にするため、初期状態では、第一記憶装置１２０にデータが格納されているものとする。
【００６１】
まず、制御部１１１は、第一記憶装置１２０を駆動する（ステップＳ６０１）。制御部１１１は、ＲＴＣ１１３から時刻情報を入手して（ステップＳ６０２）、時間帯情報１１５を参照し、第一時間帯であれば（ステップＳ６０３のＹｅｓ）、時刻情報の入手（ステップＳ６０２）と第一時間帯であるか否かの判別（ステップＳ６０３）とを繰り返す。
【００６２】
現在時刻が第一時間帯でなければ（ステップＳ６０３のＮｏ）、制御部１１１は現在時刻が第二時間帯であるか否かを判別し（ステップＳ６０４）、第二時間帯の範囲内であれば（ステップＳ６０４のＹｅｓ）、駆動中のディスク装置のデータを第二記憶装置１３０へ移動させて（ステップＳ６０５）、データ移動元の記憶装置を停止する（ステップＳ６０６）。
【００６３】
そして、制御部１１１は、ＲＴＣ１１３から時刻情報を入手して（ステップＳ６０７）、現在時刻が第二時間帯の範囲外になるまで、時刻情報の入手（ステップＳ６０７）と第二時間帯であるか否かの判別（ステップＳ６０８）とを繰り返す。
【００６４】
制御部１１１が、時刻が第二時間帯の範囲外と判別すると（ステップＳ６０８のＮｏ）、その時刻が第三時間帯であるかを判別し（ステップＳ６０９）、第三時間帯であれば（ステップＳ６０９のＹｅｓ）、駆動中の記憶装置のデータを第三記憶装置１４０に移動させて（ステップＳ６１０）、データ移動元の記憶装置を停止する（ステップＳ６１１）。
【００６５】
そして、制御部１１１は、ＲＴＣ１１３から時刻情報を入手して（ステップＳ６１２）、現在時刻が第三時間帯の範囲外になるまで、時刻情報の入手（ステップＳ６１２）と第三時間帯であるか否かの判別（ステップＳ６１３）とを繰り返す。
【００６６】
制御部１１１が、時刻が第三時間帯の範囲外と判別すると（ステップＳ６１３のＮｏ）、その時刻が第二時間帯であるかを判別し（ステップＳ６１４）、第二時間帯の範囲内であれば（ステップＳ６１４のＹｅｓ）、ステップＳ６０５に進む。
【００６７】
一方、第二時間帯の範囲内でなければ（ステップＳ６１４のＮｏ）、駆動中の記憶装置のデータを第一記憶装置１２０に移動させて（ステップＳ６１５）、データ移動元の記憶装置を停止する（ステップＳ６１６）。そして再びステップＳ６０２の時刻を入手するステップに戻る。
【００６８】
ホストアダプタ１１０に格納された制御部は、ディスク切り替え処理と並行して、ディスクアクセス処理を実行しており、稼働中の記憶装置１２０、１３０、又は１４０にアクセスし、データを読み出してホスト装置２００に提供し、或いは、ホスト装置２００から供給されたデータを書き込む。
【００６９】
以上説明したように、本実施の形態においては、ホストアダプタ１１０は、１日を処理負荷に応じて３つの時間帯に分割し、処理負荷が大きい時間帯には第一記憶装置を稼働させてこれにアクセスし、処理負荷が中位の時間帯には第一記憶装置を稼働させてこれにアクセスし、処理負荷が小さい時間帯には第三記憶装置を稼働させてこれにアクセスする。これにより、処理負荷に応じた処理の提供と消費電力の抑制を達成できる。
【００７０】
第三実施例のようにして、互いに性能の異なる記憶装置の数を複数個に増やしていくことが可能となる。
【００７１】
なお、時間帯情報１１５は１日のうちの時間帯をするだけでなく、特定の日の特定の時間帯（例えば、３月２０日の１３：００−１４：００）、月のうちの特定の時間（日時）帯（１２月２８日から３１日）をしている等、任意である。また、時間帯情報１１５は平日の時間帯だけを設定してもよい。
【００７２】
なお、本実施例では、ディスクアレイ装置に接続されるホスト装置は１台としたが、複数でもよい。
【００７３】
なお、性能の同じ記憶装置を複数台設けて冗長化するようにしてもよい。
また、記録装置の切り替え中は、全ディスクへのアクセスを禁止する等してもよい。
【００７４】
また、理解を容易にするため、初期状態では、第一記憶装置にデータが格納されている設定としたが、一旦、全記憶装置を起動し、データの格納されている記憶装置を特定し、続いて、時間帯に対応した記憶装置にデータを転送するようにしてもよい。
【図面の簡単な説明】
【００７５】
【図１】本発明の第一の実施形態に係るディスクアレイ装置のブロック図である。
【図２】本発明の第一の実施形態に係る時間帯情報の具体例を示す図である。
【図３】本発明の第一の実施形態に係るディスク切替処理を示すフロー図である。
【図４】本発明の第二の実施形態に係るディスクアレイ装置のブロック図である。
【図５】本発明の第二の実施形態に係る時間帯情報の具体例を示す図である。
【図６】本発明の第二の実施形態に係るディスク切替処理を示すフロー図である。
【図７】本発明の第三の実施形態に係るディスクアレイ装置のブロック図である。
【図８】本発明の第三の実施形態に係る時間帯情報の具体例を示す図である。
【図９】本発明の第三の実施形態に係るディスク切替処理を示すフロー図である。
【符号の説明】
【００７６】
１０      ディスクアレイ装置
１１      制御部
１２      判別部
１３      計時部
１４      時間帯情報記憶部
１５      アクセス制御部
２０      第一記憶装置
３０      第二記憶装置
５０      ホスト装置
１００    ディスクアレイ装置
１１０    アダプタ部
１１１    制御部
１１２    インターフェイス部
１１３    ＲＴＣ
１１４    ＲＡＭ
１１５    時間帯情報
１１６    操作部
１２０    第一記憶装置
１３０    第二記憶装置
２００    ホスト装置
【図１】
0004893682.tif 000002
【図２】
0004893682.tif 000003
【図３】
0004893682.tif 000004
【図４】
0004893682.tif 000005
【図５】
0004893682.tif 000006
【図６】
0004893682.tif 000007
【図７】
0004893682.tif 000008
【図８】
0004893682.tif 000009
【図９】
0004893682.tif 000010